【手続補正書】
【提出日】平成18年5月23日(2006.5.23)
【手続補正１】
【補正対象書類名】明細書
【補正対象項目名】全文
【補正方法】変更
【補正の内容】
【書類名】      明細書
【発明の名称】  シーソー釦及びシーソー釦を備えた電子機器
【特許請求の範囲】
【請求項１】
複数のスイッチをシーソー動作により選択的に押圧し、該スイッチを選択作動させるシーソー釦において、
前記スイッチを作動させるスイッチ押部が形成された前記シーソー釦の本体部と、
前記シーソー釦の本体部を支持する支持部と、
前記本体部と支持部を接続し、  前記本体部を押下したときにシーソー釦を元の位置に復帰させるばね効果として作用するヒンジ部と、備えたことを特徴とするシーソー釦。
【請求項２】  前記ヒンジ部は、シーソー釦におけるシーソー動作の回動軸を含む平面に対して対称に一対設けられていることを特徴とする請求項１記載のシーソー釦。
【請求項３】  前記ヒンジ部は、前記回動軸と垂直な前記本体部の両側面に１組設けられていることを特徴とする請求項２記載のシーソー釦。
【請求項４】  前記ヒンジ部は、シーソー釦におけるシーソー動作の回動軸に垂直な前記本体部の両側面に、前記本体部の中心に対して点対称となるように１対設けられていることを特徴とする請求項１記載のシーソー釦。
【請求項５】  前記本体部には、シーソー釦を取付ける部材に接触し、該接触部分をシーソー動作の支点とする凸部が形成されていることを特徴とする請求項１乃至請求項４記載のシーソー釦。
【請求項６】  前記ヒンジ部は、前記本体部の中央下方向に延びた後、前記本体部の外側下方向に延びて、前記支持部に接続されることを特徴とする請求項１乃至請求項５記載のシーソー釦。
【請求項７】
複数のスイッチをシーソー動作により選択的に押圧し、該スイッチを選択作動させるシーソー釦を備えた電子機器において、
前記シーソー釦は、
前記スイッチを作動させるスイッチ押部が形成された前記シーソー釦の本体部と、
前記シーソー釦本体部を支持する支持部に接続され、前記本体部を押下したときにシーソー釦を元の位置に復帰させるばね効果として作用するヒンジ部と、を備えたことを特徴する電子機器。
【発明の詳細な説明】
【０００１】
【発明の属する技術分野】
本発明は、電子機器等に用いられるスイッチの接点を押圧するシーソー釦及びこのシーソー釦を備えた電子機器に関する。
【０００２】
【従来の技術】
従来のシーソー釦の構造を図５および図６を用いて説明する。
【０００３】
図５は従来のシーソー釦の概略構造を示す図で、（ａ）は平面図、（ｂ）はＥ−Ｅ断面図、（ｃ）はＦ−Ｆ断面図である。図６は従来のシーソー釦の動作を示す正面断面図である。
【０００４】
５０はシーソー釦で、指等で直接操作（押下げ）するＲ側、Ｓ側２箇所の操作部となる釦部６０の図示下端より水平方向へ縁部６１が形成されており、また、釦部６０の下端の図示左右両端には垂直下方向へスイッチ押部６２、６３が形成されている。また、釦部６０の裏面には、釦部６０のＲ側とＳ側の略中央部（Ｒ側とＳ側を分岐するＦ−Ｆ線上の左右２箇所）に、シーソー機構の支点となるシーソー凸部６４が垂直下方向（スイッチ押部６２、６３と同じ方向）へ突出して形成されている。シーソー凸部６４は先端が前面基板７５の表面に当接しシーソー支点６５となる。また、釦部６０のトップ部には下方からの照明により表示する数値や機能文字（図示省略）が形成されている。
【０００５】
７０は前面パネルで、釦部挿入孔７１および前面基板７５等の取り付け孔等が形成されている。
【０００６】
前面基板７５（または、シートスイッチホルダ）は機器をコントロールする基板で、シートスイッチ８０（スイッチ部８１、８２）および照明用発光ダイオード（図示省略）等が取り付けられている。
【０００７】
８５はバイアス部品で、シーソー釦５０の縁部６１の下方に当接するように設けられており、シーソー釦５０の押圧操作部を押下したときにシーソー釦５０を元の位置へ復帰させるものである。バイアス部品８５は弾性部材例えば発泡ウレタン（スポンジ）等の弾性部材等により形成されている。
【０００８】
次に、シーソー釦５０の組付けを図５により説明する。
【０００９】
シーソー釦５０を組付けるには、図５で示すように先ず、釦部６０を前面パネル７０の釦部挿入孔７１の図示下方から挿入し、釦部６０の凸部６６を前面パネル７０の裏面に当接させる。次に、バイアス部品８５を釦部６０の図示下方から挿入し、前面基板７５をバイアス部品８５の図示下方から挿入して前面パネル７０にねじ止め固定する。この状態で釦部６０は、凸部６６の先端とシーソー凸部６４の先端（シーソー支点６５）が前面パネル７０の裏面と、前面基板７５の表面とで挟持されるので、バイアス部品８５により弾性保持される。シーソー凸部６４の先端がシーソー釦５０のシーソー支点６５となる。
【００１０】
次に、シーソー釦５０の動作を図６を用いて説明する。
【００１１】
スイッチ部８１をＯＮさせるためにシーソー釦５０のＲ側を押すと、シーソー釦５０は、シーソー支点６５を支点にして矢印Ｒ側方向へ回動し、シーソー釦５０のスイッチ押部６２の先端部がスイッチ部８１に当接して押し込みスイッチ部８１がＯＮする。そして、シーソー釦５０がシーソー動作により矢印Ｒ方向へ回動すると、縁部６１の図示右側（Ｒ側）が、バイアス部品８５を圧縮する。尚、シーソー釦５０の押操作を解除すると、縁部６１により圧縮されたバイアス部品８５の弾性力によりシーソー釦５０は元の位置へ復帰する。また、シーソー釦５０のＳ側を押すとＲ側を押した時の逆方向のスイッチ部８２がＯＮし、Ｒ側を押した時と同じような動作が行われる。
【００１２】
【発明が解決しようとする課題】
しかし、上述のシーソー釦５０の構造では、シーソー釦５０の復帰にバイアス部品８５が用いられるので、構成される部品点数が増え部材費および組立工数の増となりコスト高につながるおそれがある。また、バイアス部品８５を用いるので小スペース（小型化）への対応がむずかしいという問題がある。その他に、複数のシーソー釦５０を連結した多連化がむつかしく、また、塗装や文字加工等の２次加工の効率も悪くなる。その他に、組付けの際に誤組付けが発生するおそれがある。
【００１３】
本発明は上述の問題を解決するもので、小スペースへの対応と、コスト低減が図れる簡略化された構造で、シーソー動作のスムーズなシーソー釦を提供することを目的とする。
【００１４】
【課題を解決するための手段】
本発明は上述の目的を達成するもので、複数のスイッチをシーソー動作により選択的に押圧し、該スイッチを選択作動させるシーソー釦において、前記スイッチを作動させるスイッチ押部が形成された前記シーソー釦の本体部と、前記シーソー釦の本体部を支持する支持部と、前記本体部と支持部を接続し、前記本体部を押下したときにシーソー釦を元の位置に復帰させるばね効果として作用するヒンジ部と、備えたことを特徴とするものである。
【００１５】
また、前記ヒンジ部は、シーソー釦におけるシーソー動作の回動軸を含む平面に対して対称に一対設けられていることを特徴とするものである。
【００１６】
また、前記ヒンジ部は、前記回動軸と垂直な前記本体部の両側面に１組設けられていることを特徴とするものである。
【００１７】
また、前記ヒンジ部は、シーソー釦におけるシーソー動作の回動軸に垂直な前記本体部の両側面に、前記本体部の中心に対して点対称となるように１対設けられていることを特徴とするものである。
【００１８】
また、前記本体部には、シーソー釦を取付ける部材に接触し、該接触部分をシーソー動作の支点とする凸部が形成されていることを特徴とするものである。
【００１９】
また、複数のスイッチをシーソー動作により選択的に押圧し、該スイッチを選択作動させるシーソー釦を備えた電子機器において、前記シーソー釦は、前記スイッチを作動させるスイッチ押部が形成された前記シーソー釦の本体部と、前記シーソー釦本体部を支持する支持部に接続され、前記本体部を押下したときにシーソー釦を元の位置に復帰させるばね効果として作用するヒンジ部と、を備えたことを特徴するものである。
また、前記ヒンジ部は、前記本体部の中央下方向に延びた後、前記本体部の外側下方向に延びて、前記支持部に接続されることを特徴とするものである。
【００２０】
【発明の実施の形態】
本発明の第１の実施の形態を図１および図２を用いて説明する。
【００２１】
図１は本発明の第１の実施の形態に係るシーソー釦の概略構造を示す図で、（ａ）は平面図、（ｂ）はＡ−Ａ断面図、（ｃ）はＢ−Ｂ断面図である。図２は本発明の第１の実施の形態に係るシーソー釦の動作を示す正面断面図である。
【００２２】
１０はシーソー釦で、１つの釦にシーソ機能を持たせ、シーソ機能により複数（２つ）の動作の切替え（例えばＯＮ、ＯＦＦ等）が可能で、電子機器等に多く用いられる。シーソー釦１０は、指等で直接操作する本体部２０と、本体部２０と一体に形成された本体部支持アーム３０等により構成されている。
【００２３】
本体部２０は指等で直接操作（押下げ）するＰ側、Ｑ側２箇所の操作部となる釦部２１と、釦部２１の図示下端面より外周方向（水平方向）へ張り出した縁部２２が形成されており、縁部２２にはＰ側とＱ側の略中央部（Ｐ側とＱ側を分岐するＢ−Ｂ線上の左右２箇所）に、断面形状が半円形の凸部２３が図示上方向へ突出している。また、釦部２１の裏面には、Ｐ側とＱ側の下方に設けられた例えばシートスイッチ１３の２箇所のスイッチ部１４、１５を押圧するスイッチ押部２４、２５が下方向へ突出して形成されている。また、釦部２０のＰ側とＱ側の略中央部（Ｐ側とＱ側を分岐するＢ−Ｂ線上の左右２箇所）に、シーソー機構の支点となるシーソー凸部２６が垂直下方向（スイッチ押部２４、２５と同じ方向）へ突出して形成されている。シーソー凸部２６は先端が前面基板１９の表面に当接しシーソー支点２７となる。シーソー凸部２６は、シーソー機構のシーソー支点２７となる他に、釦部２１のＰ側とＱ側の中央部近傍を押した際に、Ｐ側とＱ側の下方２箇所のスイッチ部１４、１５を同時に押圧しないように防止する。本体部２０の材料には例えば乳白色のＡＢＳ樹脂が用いられ成形加工により形成される。成形加工後に釦部２１の表面を所定の塗料で塗装する。その後に、釦部２１のトップ部に塗装された塗料をレーザ加工等により除去（母材の乳白色が現れるまで）し、機能文字や記号（図示省略）等を形成する。そして、釦部２１の裏面より照明用発光ダイオード（ＬＥＤ）等により照明してトップ部に形成された文字や記号等を見やすくする。
【００２４】
本体部支持アーム３０は、ヒンジ部３１、３２およびベースリブ３３（支持部に相当）により構成され、本体部２０を水平に保持すると共にＰ側またはＱ側の操作部を押下げた際に、本体部２０を元の状態に復帰させるためのばねの役目をするものである。ヒンジ部３１、３２は、図１の（ｂ）のＡ−Ａ断面図に示すようにＳ字形状に近い湾曲した形状をしており、シーソー支点２７軸を通る垂直面に対して対称に、本体部２０の両側面に１対ずつ計２対形成されている。ヒンジ部３１、３２の上部は、縁部２２の図示左右のそれぞれ端部に近い位置に接続され、ヒンジ部３１、３２の下部はベースリブ３３の中央部（シーソー支点２７）に近い位置に接続している。尚、ヒンジ部３１、３２およびベースリブ３３で構成される本体部支持アーム３０は、本体部２０と一体に樹脂成形されている。
【００２５】
１７は前面パネルで、釦部挿入孔１８および前面基板１９等の取り付け孔等が形成されている。
【００２６】
前面基板１９（または、シートスイッチホルダ）は機器をコントロールする基板で、シートスイッチ１３（スイッチ部１４、１５）および照明用発光ダイオード（図示省略）等が取り付けられている。
【００２７】
次に、シーソー釦１０の組付けを図１を用いて説明する。
【００２８】
シーソー釦１０を組付けるには、図１で示すように先ず、シーソー釦１０を前面パネル１７の釦部挿入孔１８の図示下方から挿入し、シーソー釦１０の凸部２３を前面パネル１７の裏面に当接させる。次に、前面基板１９をシーソー釦１０の下方から挿入し前面パネル１７にねじ止め固定する。前面基板１９を前面パネル１７にねじ止め固定することにより、ヒンジ部３１と３２が接続したベースリブ３３の一部が、前面パネル１７と前面基板１９とにより挟み込まれて固定される。この状態でシーソー釦１０は、凸部２３の先端とシーソー凸部２６の先端（シーソー支点２７）が前面パネル１７の裏面と、前面基板１９の表面とで挟持されるので、シーソー凸部２６の先端がシーソー釦１０のシーソー支点２７となる。
【００２９】
次に、シーソー釦１０の動作を図２を用いて説明する。
【００３０】
スイッチ部１４をＯＮさせるためにシーソー釦１０のＰ側を押すと、シーソー釦１０は、シーソー支点２７を支点にして矢印Ｐ方向へ回動し、シーソー釦１０のスイッチ押部２４の先端部がスイッチ部１４に当接して押し込みスイッチ部１４がＯＮする。そして、シーソー釦１０がシーソー動作により矢印Ｐ方向へ回動すると、ヒンジ部３１が圧縮され、また、線対称に設けられたヒンジ部３２が引張される。尚、Ｐ側の押圧を解除すると、ヒンジ部３１、３２の弾性力によってシーソー釦１０は元の位置へ復帰する。また、シーソー釦１０のＱ側を押すとＰ側を押した時の逆方向のスイッチ部１５がＯＮする。そして、Ｑ側の押圧を解除するとＰ側の押圧を解除した時と同じようにヒンジ部３１、３２の弾性力によりシーソー釦１０は元の位置へ復帰する。
【００３１】
以上説明したように本発明の第１の実施の形態に係るシーソー釦１０によれば、シーソー動作の復帰力を発生するヒンジ部３１、３２が本体部２０と一体に樹脂成形されているので、構成部品点数を削減することができる。また、複数のシーソー釦１０を接続して一体にて樹脂成形することができるので、部品費の節減と組立工数の低減によるコストダウンと、構成の簡素化による品質の向上が図れる。その他に、複数のシーソー釦１０を連結した多連化が容易になり、塗装や文字加工等の２次加工の効率もよくなる。その他に、複数のシーソー釦１０を連結させることにより組付けの際の誤組付けを防止することができる。また、シーソー動作方向が異なるシーソー釦１０を混在して複数連結することができる。また、ヒンジ部３１、３２がシーソー釦１０の支点位置方向に延びてベースリブ３３に接続しているので、ヒンジ部３１、３２はシーソー釦１０の支点位置を中心とした回動運動、つまりシーソー動作に近い運動を行い易くなるため、シーソー釦１０のシーソー動作がスムーズになる。
【００３２】
尚、第１の実施の形態に係るシーソー釦１０の説明では、ヒンジ部３１、３２を本体部２０の両側面に設けたが、シーソー動作の回動軸（Ｂ−Ｂ線）に垂直な本体部２０の両側面に、本体部２０の中心に対して点対称（対角方向）となるようにヒンジ部３１と３２を一箇所ずつ１対設けてもよい。また片側面にのみヒンジ部３１、３２を１対設けてもよく、その他に本体部２０の両側面の間（Ａ−Ａ線の近傍）にヒンジ部３１、３２を１対設けてもよい。
【００３３】
次に、本発明の第２の実施の形態を図３および図４を用いて説明する。
【００３４】
図３は本発明の第２の実施の形態に係るシーソー釦の概略構造を示す図で、（ａ）は平面図、（ｂ）はＣ−Ｃ断面図、（ｃ）はＤ−Ｄ断面図である。図４は本発明の第２の実施の形態に係るシーソー釦の別のヒンジ部構造を示す正面断面図である。尚、第２の実施の形態は第１の実施の形態のヒンジ部形状を変更したものであり、その他については第１の実施の形態と略同じであるので、同じ構成については同じ符号を付し説明を省略する。
【００３５】
１１はシーソー釦で、１つの釦にシーソ機能を持たせ、シーソ機能により複数（２つ）の動作の切替え（例えばＯＮ、ＯＦＦ等）が可能で、電子機器等に多く用いられる。シーソー釦１１は、指等で直接操作する本体部２０と本体部２０と一体に形成された本体部支持アーム４０等により構成されている。
【００３６】
本体部支持アーム４０は、ヒンジ部４１、４２およびベースリブ４３（支持部に相当）により構成され、本体部２０を水平に保持すると共にＰ側またはＱ側の操作部を押下げた際に、本体部２０を元の状態に復帰させるためのばねの役目をするものである。ヒンジ部４１、４２は、図３の（ｂ）のＣ−Ｃ断面に示すように半円形状に近い形状をしており、シーソー支点２７軸を通る垂直面に対して対称に、本体部２０の両側面に１対ずつ計２対形成されている。半円形状のヒンジ部４１、４２は、開口部がそれぞれ外側方向（背中合わせ）に向いており、ヒンジ部４１、４２の上部は縁部２２の端部に近い位置に接続され、ヒンジ部４１、４２の下部は、ベースリブ４３の端部に近い位置に接続している。つまり、ヒンジ部４１、４２は本体部２０の外側から内側（中央方向）に延び、その後外側に延びてベースリブ４３に接続している。尚、ヒンジ部４１、４２およびベースリブ４３で構成される本体部支持アーム４０は本体部２０と一体に樹脂成形されている。
【００３７】
以上説明したように本発明の第２の実施の形態に係るシーソー釦１１においても、シーソー動作の復帰力を発生するヒンジ部４１、４２が本体部２０と一体に樹脂成形されているので、構成部品点数を削減することができる。また、複数のシーソー釦１１を接続して一体にて樹脂成形することができるので、部品費の節減と組立工数の低減によるコストダウンと、構成の簡素化による品質の向上が図れる。また、ヒンジ部４１、４２が本体部２０の外側から内側（支点位置方向）に延び、その後外側に延びてベースリブ４３に接続しているので、ヒンジ部４１、４２はシーソー釦１１の支点位置を中心とした回動運動、つまりシーソー動作に近い運動を行い易くなるため、シーソー釦１１のシーソー動作がスムーズになる。
【００３８】
尚、第２の実施の形態に係るシーソー釦１１の説明では、ヒンジ部４１、４２を本体部２０の両側面にそれぞれ１対ずつ設けたが、シーソー動作の回動軸（Ｄ−Ｄ線）に垂直な本体部２０の両側面に、本体部２０の中心に対して点対称（対角方向）となるようにヒンジ部４１と４２を一箇所ずつ１対設けてもよい。また
片側面にのみヒンジ部４１、４２を１対設けてもよく、その他に本体部２０の両
側面の間（例えばＣ−Ｃ線の近傍）にヒンジ部４１、４２を１対設けてもよい。その他にヒンジ部４１、４２の形状を例えば図４に示すような開口方向がそれぞれ外側方向のＶ字形状またはＷ字形状（図示省略）に、つまりヒンジ部４６、４７が本体部２０の外側から内側（中央方向）に延び、その後外側に延びてベースリブ４８に接続するように形成してもよい。
【００３９】
【発明の効果】
以上説明したように本発明によれば、構成される部品点数が削減され小スペース化への対応が容易で、コスト低減が図れる簡略化された構造で、さらにシーソー動作がスムーズなシーソー釦を提供することができる。
【図面の簡単な説明】
【図１】
本発明の第１の実施の形態に係るシーソー釦の概略構造を示す図である。
【図２】
本発明の第１の実施の形態に係るシーソー釦の動作を示す正面断面図である。
【図３】
本発明の第２の実施の形態に係るシーソー釦の概略構造を示す図である。
【図４】
本発明の第２の実施の形態に係るシーソー釦の別のヒンジ部構造を示す正面断
面図である。
【図５】
従来のシーソー釦の概略構造を示す図である。
【図６】
従来のシーソー釦の動作を示す正面断面図である。
【符号の説明】
１０，１１・・シーソー釦
１３・・・・・シートスイッチ
１４、１５・・スイッチ部
１７・・・・・前面パネル
１８・・・・・釦部挿入孔
１９・・・・・基板
２０・・・・・本体部
２１・・・・・釦部
２２・・・・・縁部
２３・・・・・凸部
２４，２５・・スイッチ押部
２６・・・・・シーソー凸部
２７・・・・・シーソー支点
３０，４０・・本体部支持アーム
３１，３２，４１，４２，４６，４７・・ヒンジ部
３３、４３，４８・・ベースリブ